(57)【要約】【課題】ドラム型フィルタ内に配設される配管の配管系構造を簡素化することにより簡単な構造のフィルタ分離装置を提供する。【解決手段】ドラム型フィルタ２６内に配設される原水供給管３２と捕集物排出管３６の配置構造において、捕集物排出管３６が原水供給管３２内に挿通配置され、捕集物排出管３６のホッパ３４が、原水供給管３２の上面に形成された開口部３２Ａに配置されている。すなわち、原水供給管３２と捕集物排出管３６との配管構造は、原水供給管３２が外管で捕集物排出管３６が内管の２重管構造であるため、配管系を従来の２系統から１系統に減らすことができ、これによって、簡単な構造のフィルタ分離装置２４を提供できる。【選択図】  図３
2009082822.tif 000002
【特許請求の範囲】
【請求項１】
箱状に形成された装置本体と、
前記装置本体内に水平方向に設置されるとともに、装置本体の外部から供給された原水を装置本体内に流出させる流出孔が下面に多数形成された原水供給管と、
前記原水供給管を囲むように該原水供給管に回転自在に取り付けられるとともに、前記原水中の捕集物を捕集するドラム型フィルタと、
前記ドラム型フィルタを回転させる駆動部と、
前記原水供給管に挿通配置されるとともに、該原水供給管の上面に形成された開口部に捕集物取入口が配置され、捕集した捕集物を前記装置本体の外部に排出する捕集物排出管と、
前記装置本体内の原水の水位が前記捕集物排出管の前記捕集物取入口よりも低くなるように制御する水位制御部と、を有し、
前記ドラム型フィルタによって捕集された捕集物は、ドラム型フィルタの回転によって前記捕集物排出管の捕集物取入口の上方に移動した際に落下し、前記捕集物取入口を介して捕集物排出管から排出されることを特徴とするフィルタ分離装置。
【請求項２】
前記ドラム型フィルタの内側には、捕集した捕集物をドラム型フィルタの回転によって掻き揚げるバケットが設けられている請求項１に記載のフィルタ分離装置。
【請求項３】
前記水位制御部は、
前記ドラム型フィルタ内の前記原水の水位を検出する水位センサと、
前記ドラム型フィルタの外側に配置され、ドラム型フィルタに向けて水を噴射することによりフィルタ目詰まりを解消するスプレーノズルと、
前記水位センサからの水位情報に基づいて前記スプレーノズルから噴射する水量を制御する制御部と、
を有する請求項１、又は２に記載のフィルタ分離装置。
【請求項４】
前記ドラム型フィルタを通過した濾過水を前記スプレーノズルから噴射させる濾過水循環手段を有する請求項３に記載のフィルタ分離装置。
【請求項５】
前記フィルタ分離装置の前段には、
被除去物を含んだ原水に、磁性粉と凝集剤とを注入して攪拌することにより、磁性粉を含む磁性フロックを生成する凝集装置と、前記凝集装置によって生成された前記磁性フロックを磁性力により分離する磁気分離装置とが配置され、
前記フィルタ分離装置は前記磁気分離装置で分離されずに残留した磁性フロックを、前記ドラム型フィルタによって捕集する請求項１、２、３、又は４のうちいずれか一つに記載のフィルタ分離装置。
【請求項６】
前記フィルタ分離装置の前記捕集物排出管は前記凝集装置の前段部に接続され、前記ドラム型フィルタによって捕集された磁性フロックが、前記捕集物排出管を介して前記凝集装置に戻される請求項５に記載のフィルタ分離装置。
【請求項７】
前記捕集物排出管には、磁性フロックを破砕する破砕手段が設けられている請求項５、又は６に記載のフィルタ分離装置。
【発明の詳細な説明】
【技術分野】
【０００１】
本発明はフィルタ分離装置に係り、特に磁気分離装置によって捕集されずに残存した原水中の磁性フロックを、ドラム型フィルタによって捕集することにより原水中から分離除去するフィルタ分離装置に関する。
【背景技術】
【０００２】
下水や工場排水等の原水中に存在する汚濁物質を除去する装置として、従来から磁気分離装置が知られている。この磁気分離装置は、原水中に凝集剤と磁性粉を添加することにより、磁性を帯びた磁性フロックとして汚濁物質を生成し、この磁性フロックを、多数の磁石を配設した磁気ディスクに吸着して分離除去する装置である。
【０００３】
特許文献１には、磁気分離装置を組み込んだ固液分離装置が開示されている。この磁気分離装置は、分離槽内に、磁石を貼り付けた複数枚の磁気ディスクを回転軸に所定の間隔をもって配設したものであり、磁性フロックを磁気ディスクに吸着することにより原水中から磁性フロックを除去する。
【０００４】
一方、ドラム型フィルタを使用して原水中の粗ゴミを除去するフィルタ分離装置が特許文献２に開示されている。このフィルタ分離装置によれば、原水が供給管を介してドラム型フィルタの内部に供給されることにより、粗ゴミがドラム型フィルタの内部に残り、原水中から粗ゴミが除去される。また、ドラム型フィルタの上方には、逆流洗浄水配管の下流端が配置され、更に、ドラム型フィルタの内部の、前記逆流洗浄水配管の下流端に対向する位置には逆洗水回収パンが設けられている。かかる構成により、逆流洗浄水配管の下端部から逆流洗浄水が噴射されると、この逆流洗浄水によって、ドラム型フィルタに付着した粗ゴミが洗い流される。そして、この粗ゴミは、逆流洗浄水とともに逆洗水回収パンに回収されてドラム型フィルタから排出される。
【特許文献１】特開平１０−２４４４２４号公報
【特許文献２】特開２００４−３５８３４３号公報
【発明の開示】
【発明が解決しようとする課題】
【０００５】
しかしながら、特許文献２に記載されたフィルタ分離装置は、ドラム型フィルタにおいて、原水を供給する供給管と逆洗水回収パンに連結される回収用配管とが別な場所に設けられているので、ドラム型フィルタ内における配管系が複雑になり、フィルタ分離装置の構造が複雑になるとともに、配管を装置の外部に取り出す部分の防水シールが２ヶ所必要になるという欠点があった。
【０００６】
本発明は、このような事情に鑑みてなされたもので、ドラム型フィルタ内に配設される配管の配管系構造を簡素化することにより簡単な構造のフィルタ分離装置を提供することを目的とする。
【課題を解決するための手段】
【０００７】
請求項１に記載の発明は、前記目的を達成するために、箱状に形成された装置本体と、前記装置本体内に水平方向に設置されるとともに、装置本体の外部から供給された原水を装置本体内に流出させる流出孔が下面に多数形成された原水供給管と、前記原水供給管を囲むように該原水供給管に回転自在に取り付けられるとともに、前記原水中の捕集物を捕集するドラム型フィルタと、前記ドラム型フィルタを回転させる駆動部と、前記原水供給管に挿通配置されるとともに、該原水供給管の上面に形成された開口部に捕集物取入口が配置され、捕集した捕集物を前記装置本体の外部に排出する捕集物排出管と、前記装置本体内の原水の水位が前記捕集物排出管の前記捕集物取入口よりも低くなるように制御する水位制御部と、を有し、前記ドラム型フィルタによって捕集された捕集物は、ドラム型フィルタの回転によって前記捕集物排出管の捕集物取入口の上方に移動した際に落下し、前記捕集物取入口を介して捕集物排出管から排出されることを特徴とする。
【０００８】
請求項１に記載の発明によれば、ドラム型フィルタ内に配設される原水供給管と捕集物排出管の配置構造において、捕集物排出管が原水供給管内に挿通配置され、捕集物排出管の捕集物取入口が、原水供給管の上面に形成された開口部に配置されている。すなわち、原水供給管と捕集物排出管との配管構造は、原水供給管が外管で捕集物排出管が内管の２重管構造であるため、配管系を従来の２系統から１系統に減らすことができ、これによって、簡単な構造のフィルタ分離装置を提供できるとともに、1系統にすることで、防水シールが1ヶ所のみとなり、リークによる処理水質悪化リスクを低減することができる。
【０００９】
また、原水供給管に沿って形成された流出孔の数（密度）を均等に設けると、流れの慣性により、奥側の流出孔に偏って原水が供給される問題があるため、流出孔の数（密度）は、原水供給管の上流側から下流側に向かって減少させて、流出孔全体から均等に原水を供給することが望ましい。
【００１０】
請求項２に記載の発明は、請求項１において、前記ドラム型フィルタの内側には、捕集した捕集物をドラム型フィルタの回転によって掻き揚げるバケットが設けられていることを特徴とする。
【００１１】
請求項２に記載の発明によれば，ドラム型フィルタによって捕集した捕集物のうち、粗大固形物（凝集できないほど大きい固形物，運動性のある生物など）は、バケットによって効率よく掻き揚げられてドラム型フィルタの上部から、捕集物排出管の捕集物取入口に落下し回収される。バケットがないと、粗大固形物は捕集物取入口まで持ち上げることができずにドラム型フィルタの底部に蓄積してしまうが、この発明によると、ドラム型フィルタ内部での粗大固形物の蓄積を防止でき、ドラム型フィルタの長寿命化を図ることができる。一方、磁気分離装置で回収しきれなかった微細磁性フロックは、フィルタ中に目詰まりした形で持ち上げられ、スプレー水の噴流により捕集物取入口に落下し回収される。
【００１２】
請求項３に記載の発明は、請求項１、又は２において、前記水位制御部は、前記ドラム型フィルタ内の前記原水の水位を検出する水位センサと、前記ドラム型フィルタの外側に配置され、ドラム型フィルタに向けて水を噴射することによりフィルタ目詰まりを解消するスプレーノズルと、前記水位センサからの水位情報に基づいて前記スプレーノズルから噴射する水量を制御する制御部と、を有することを特徴とする。
【００１３】
請求項３に記載の発明によれば、水位センサによって検出された水位が、規定の水位を超えると、制御部はドラム型フィルタにフィルタ目詰まりが発生したと認識し、スプレーノズルから噴射する水量を多めに制御する。これにより、フィルタ目詰まりが解消し、水位が元の良好な水位に戻る。スプレーノズルは、噴射した水が捕集物排出管の捕集物取入口に落下する位置に配設することが好ましい。これにより、スプレーノズルから噴射された水とともに、フィルタ目詰まりを引き起こした捕集物が捕集物排出管を介して排出される。
【００１４】
スプレーノズルから水を常時噴射しておくことによって、フィルタに付着した捕集物の成長による目詰まりを防止できるが、スプレーノズルからの水噴射動作を、水位センサによって検出された水位に基づきＯＮ／ＯＦＦ制御してもよい。なお、水位が上昇していくと、捕集物排出管の捕集物取入口から捕集物を含んだ原水が排水されるため好ましくない。したがって、制御部が認識する前記規定の水位とは、捕集物排出管の捕集物取入口に対して、若干量下方に位置する水位に設定されている。
【００１５】
なお、ドラム型フィルタの回転数を上げることによっても、速く次々と洗浄したフィルタ面を送り込むことになるので、原水側の水位を下げることができる。すなわち、検出された水位に基づきドラム型フィルタの回転数を制御してもよい。
【００１６】
請求項４に記載の発明は、請求項３において、前記ドラム型フィルタを通過した濾過水を前記スプレーノズルから噴射させる濾過水循環手段を有することを特徴とする。
【００１７】
請求項４に記載の発明によれば、ドラム型フィルタに濾過水循環手段を設け、ドラム型フィルタを通過した濾過水を、スプレーノズルから噴射する水として使用する。これにより、スプレーノズル用の水を節水することができる。
【００１８】
請求項５に記載の発明は、請求項１、２、３、又は４において、前記フィルタ分離装置の前段には、被除去物を含んだ原水に、磁性粉と凝集剤とを注入して攪拌することにより、磁性粉を含む磁性フロックを生成する凝集装置と、前記凝集装置によって生成された前記磁性フロックを磁性力により分離する磁気分離装置とが配置され、前記フィルタ分離装置は前記磁気分離装置で分離されずに残留した磁性フロックを、前記ドラム型フィルタによって捕集することを特徴とする。
【００１９】
請求項５に記載の発明は、ドラム型フィルタの前段に凝集装置と磁気分離装置とが配置されて構成された汚濁水浄化システムの発明に関する。すなわち、ドラム型フィルタは、磁気分離装置で分離されずに残留した磁性フロックを、ドラム型フィルタを利用して捕集する。これにより、原水から磁性フロックを確実に除去することができる。
【００２０】
請求項６に記載の発明は、請求項５において、前記フィルタ分離装置の前記捕集物排出管は前記凝集装置の前段部に接続され、前記ドラム型フィルタによって捕集された磁性フロックが、前記捕集物排出管を介して前記凝集装置に戻されることを特徴とする。
【００２１】
請求項６に記載の発明によれば、フィルタ分離装置のドラム型フィルタによって捕集した捕集物、すなわち、磁気分離装置で分離されずに残留した磁性フロック等を凝集装置に戻すので、その磁性フロックに含まれる磁性粉を凝集の核として再利用することができる。
【００２２】
請求項７に記載の発明は、請求項５、又は６において、前記捕集物排出管には、磁性フロックを破砕する破砕手段が設けられていることを特徴とする。
【００２３】
請求項７に記載の発明によれば、破砕手段を設けることにより、ドラム型フィルタへの粗大固形物の再蓄積を防止することができるとともに、磁性フロックを破砕して微細化することにより、凝集装置において凝集の核として働き易くなる。
【発明の効果】
【００２４】
本発明に係るフィルタ分離装置によれば、ドラム型フィルタ内の原水供給管と捕集物排出管との配管構造を、原水供給管が外管で捕集物排出管が内管の２重管構造としたので、配管系を従来の２系統から１系統に減らすことができ、これによって、簡単な構造のフィルタ分離装置を提供できる。
【発明を実施するための最良の形態】
【００２５】
以下、添付図面に従って本発明に係るフィルタ分離装置の好ましい実施の形態について詳説する。
【００２６】
図１は、実施の形態のフィルタ分離装置２４を、汚濁水浄化システム１０に組み込んだフローを説明するブロック図である。また、図２は、汚濁水浄化システム１０を構成する凝集装置１４、磁気分離装置２０、フィルタ分離装置２４の概念図である。
【００２７】
図１に示すように、汚濁水浄化システム１０では、原水が原水ポンプ１２によって、凝集装置１４の急速攪拌槽１４Ａに送水される。また、原水ポンプ１２と急速攪拌槽１４Ａとを連結する配管の中途部に、磁性粉を添加する磁性粉添加装置１６と、凝集剤を添加する凝集剤添加装置１８とが設けられ、磁性粉及び凝集剤が配管内を流れる原水中に添加される。磁性粉としては、例えば四三酸化鉄を好ましく用いることができる。また、凝集剤としては、ポリ塩化アルミニウム、塩化鉄、硫酸第二鉄等の水溶性の無機凝集剤を好ましく用いることができる。なお、図示していないが、原水中に磁性粉や凝集剤を添加する前段にストレーナを設け、このストレーナによって、数ミリ程度の大きさの比較的大きなゴミを除去しておくことが好ましい。
【００２８】
急速攪拌槽１４Ａでは、原水と、添加した磁性粉及び凝集剤とを高速回転する攪拌羽根１９により急速攪拌する。これにより、数十μｍ程度の大きさの微小な磁性フロックＦ（磁性マイクロフロックともいう）が、急速攪拌槽１４Ａ内で生成される。攪拌羽根１９の先端部における回転周速としては、１〜２ｍ／秒程度で行うことが好ましい。磁性マイクロフロックには磁性粉、原水中の固形浮遊粒子、バクテリア、プランクトン等が取り込まれる。
【００２９】
磁性マイクロフロックを含有する原水は、凝集装置１４の緩速攪拌槽１４Ｂに送水される。また、急速攪拌槽１４Ａと緩速攪拌槽１４Ｂとを連通する連通室１４Ｃの近傍には、高分子凝集剤を添加する高分子凝集剤添加装置２１が設けられ、連通室１４Ｃを流れる原水中に高分子凝集剤が添加される。高分子凝集剤としては、アニオン系及びノニオン系のものを好適に用いることができる。
【００３０】
緩速攪拌槽１４Ｂは、磁性マイクロフロックと高分子凝集剤とを低速回転する攪拌羽根１９を有する。この攪拌羽根１９によって磁性マイクロフロックと高分子凝集剤と緩やかに攪拌することにより、数百μｍ〜数ｍｍ程度の大きな磁性フロックＦが生成される。図２に示すように、緩速攪拌槽１４Ｂは、複数段の連続した多段攪拌槽（Ａ、Ｂ、Ｃ）として構成されている。この場合、上流側の緩速攪拌槽Ａから下流側の緩速攪拌槽Ｃに向うに従って、各々に設けられた攪拌羽根１９の回転速度が低速になるように設定されている。これにより、上流側の緩速攪拌槽Ａから下流側の緩速攪拌槽Ｃに向うに従って、磁性マイクロフロックが成長していくとともに、成長した磁性フロックＦが攪拌羽根１９で破壊されるのを防止できる。例えば、攪拌羽根１９の先端部における回転周速としては、緩速攪拌槽Ａが０．５〜１ｍ／秒程度、緩速攪拌槽Ｂが０．３〜０．７ｍ／秒程度、緩速攪拌槽Ｃが０．１〜０．３ｍ／秒程度であることが好ましい。
【００３１】
凝集装置１４は図２の如く、急速攪拌槽１４Ａ、連通室１４Ｃ、緩速攪拌槽１４Ｂを一体構造の装置として構成することが好ましいが、それぞれを配管で連通させて構成することもできる。
【００３２】
また、凝集装置１４の急速攪拌槽１４Ａ、連通室１４Ｃ、緩速攪拌槽１４Ｂは、空気が抜かれて原水が満水状態となっている。これにより、この汚濁水浄化システム１０を船舶に搭載し、波によって船舶に揺れが生じても、凝集装置１４の各槽１４Ａ、１４Ｃ、１４Ｂにおいて原水は波立つことはなく、急速攪拌槽１４Ａから連通室１４Ｃを介して緩速攪拌槽１４Ｂに円滑に流動する。
【００３３】
所定の大きさに成長した磁性フロックＦを含有する原水は、磁気分離装置２０に送水される。磁気分離装置２０は、原水中の磁性フロックＦを磁性力によって吸着分離するものであり、この磁気分離装置２０によって、原水中の磁性フロックＦの約９５％が分離除去される。
【００３４】
磁気分離装置２０によって除去された磁性フロックＦは、遠心分離機やベルトプレス機等の脱水装置２５によって、含水率８０％程度まで低減された後、埋め立て処分場や焼却場、又は堆肥製造工場等にトラック等に搬送されて処理される。
【００３５】
一方、磁気分離装置２０で処理された処理水は、フィルタ分離装置２４に送水される。
【００３６】
フィルタ分離装置２４では、処理水（原水）が原水供給管３２を介してドラム型フィルタ２６の内側に供給される。ドラム型フィルタ２６の内側に供給された処理水は、ドラム型フィルタ２６を内側から外側に流出することにより濾過され、処理水に残存する磁性フロックＦ等の捕集物がドラム型フィルタ２６の約２５μｍのメッシュ状フィルタによって除去される。これにより、ゴミ、固形浮遊粒子、バクテリア、プランクトン等の汚濁物質が含まれる原水が浄化される。
【００３７】
ドラム型フィルタ２６の内側に付着した磁性フロックＦ等の捕集物は、ドラム型フィルタ２６の上方に配設されたスプレーノズル２８から水がドラム型フィルタ２６に向けて噴射されることによって、ドラム型フィルタ２６内のホッパ（捕集物排出管の捕集物取入口）３４に落下し、捕集物排出管３６を介してフィルタ分離装置２４の外に排出される。この場合、ドラム型フィルタ２６によって浄化された処理水の一部が、循環ポンプ(濾過水循環手段)２９によってスプレーノズル２８に戻され、スプレーノズル２８から噴射される水として利用されている。また、磁性フロックＦ等の捕集物とスプレーノズル２８から噴射された水は、捕集物排出管３６に連結されたポンプ３０によって原水ポンプ１２の前段に戻される。
【００３８】
次に、フィルタ分離装置２４の構成、及び特徴について詳述する。
【００３９】
図３は、フィルタ分離装置２４の断面図であり、図４は、フィルタ分離装置２４に配設された２本の配管構造を示した斜視図、図５はドラム型フィルタ２６の断面図、図６はドラム型フィルタ２６のバケット６４を示した拡大斜視図である。
【００４０】
図３に示すようにフィルタ分離装置２４は、装置本体３８、原水供給管３２、ドラム型フィルタ２６、モータ（図１参照：駆動部）４０、捕集物排出管３６、及び水位制御部４２等から構成される。
【００４１】
装置本体３８は箱状に形成され、この装置本体３８内に原水供給管３２が水平方向に貫通して設置される。原水供給管３２の下面には、図１の磁気分離装置２０から供給された原水を装置本体３８内に流出させる流出孔３３、３３…が原水供給管３２の軸方向に沿って多数形成されている。
【００４２】
ドラム型フィルタ２６は、図３の如く原水供給管３２を囲むように一端が原水供給管３２に軸受４４を介して回転自在に取り付けられるとともに、他端に固定された軸４６が装置本体３８に軸受４８を介して回転自在に取り付けられている。この軸４６に図１の如くスプロケット５０が固定され、このスプロケット５０に巻回されたチェーン５２が、モータ４０側のスプロケット５４に巻回されている。したがって、モータ４０が駆動されることにより、ドラム型フィルタ２６がチェーン駆動されて回転される。
【００４３】
捕集物排出管３６は図３、図４の如く、原水供給管３２に挿通配置されるとともに、原水供給管３２の上面に形成された矩形状の開口部３２Ａからホッパ３４が突出配置されている。
【００４４】
水位制御部４２は図３の如く、ドラム型フィルタ２６内の原水の水位を、原水供給管３２を利用して装置本体３８の外側から検出する水位センサ５６と、前述したスプレーノズル２８と、水位センサ５６からの水位情報に基づいてスプレーノズル２８から噴射する水量を電磁バルブ５８の開度を制御することにより制御する制御部６０とを有している。この制御部６０は、装置本体３８内の原水の水位が捕集物排出管３６のホッパ３４の上部開口部よりも低くなるように制御する。
【００４５】
このように構成されたフィルタ分離装置２４によれば、ドラム型フィルタ２６によって捕集された捕集物（磁気分離装置２０で分離されずに残留した磁性フロックＦを含む）６２は、ドラム型フィルタ２６の回転によって捕集物排出管３６のホッパ３４の上方に移動した際に落下し、ホッパ３４を介して捕集物排出管３６から排出される。
【００４６】
また、このフィルタ分離装置２４は、ドラム型フィルタ２６内に配設される原水供給管３２と捕集物排出管３６の配置構造において、捕集物排出管３６が原水供給管３２内に挿通配置され、捕集物排出管３６の捕集物取入口３４が、原水供給管３２の上面に形成された開口部３２Ａに配置されている。すなわち、原水供給管３２と捕集物排出管３６との配管構造は、原水供給管３２が外管で捕集物排出管３６が内管の２重管構造であるため、配管系を従来の２系統から１系統に減らすことができ、これによって、簡単な構造のフィルタ分離装置２４を提供できるとともに、1系統にすることで、防水シールが1ヶ所のみとなり、リークによる処理水質悪化リスクを低減することができる。
【００４７】
なお、原水供給管３２に沿って形成された流出孔３３、３３…の数（密度）を、原水供給管３２の上流側から下流側に向って減少させることが好ましい。流出孔の数（密度）を均等に設けると、流れの慣性により、奥側の流出孔に偏って原水が供給される問題があるからである。
【００４８】
一方、図５、図６に示すように、ドラム型フィルタ２６の内側には、捕集した捕集物６２のうち粗大固形物をドラム型フィルタ２６の回転によって掻き揚げるバケット６４、６４…が所定の間隔をもって円周方向に設けられている。これにより、ドラム型フィルタ２６によって捕集した捕集物６２のうち粗大固形物は、バケット６４、６４…によって効率よく掻き揚げられてドラム型フィルタ２６の上部から、捕集物排出管３６のホッパ３４に落下する。このバケット６２、６２…の掻き揚げ作用によって、ドラム型フィルタ２６への粗大固形物の蓄積を防止でき、ドラム型フィルタ２６の長寿命化を図ることができる。
【００４９】
また、図３に示した水位制御部４２によれば、水位センサ５６によって検出されたドラム型フィルタ２６内の水位が規定の水位を超えると、制御部６０はドラム型フィルタ２６にフィルタ目詰まりが発生したと認識し、スプレーノズル２８から噴射する水量が多くなるように電磁バルブ５８の開度を制御する。これにより、フィルタ目詰まりが解消し、水位が元の良好な水位に戻る。スプレーノズル２８は、噴射した水が捕集物排出管３６の捕集物取入口３４に落下する位置に配設することが好ましい。これにより、スプレーノズル２８から噴射された水とともに、フィルタ目詰まりを引き起こした捕集物６２が捕集物排出管３６を介して排出される。
【００５０】
なお、ドラム型フィルタ２６の回転数を上げることによっても、速く次々と洗浄したフィルタ面を送り込むことになるので、原水側の水位を下げることができる。すなわち、検出された水位に基づきドラム型フィルタ２６の回転数を制御してもよい。例えば、ドラム型フィルタ２６の通常の回転数は２〜５ｒｐｍである。
【００５１】
スプレーノズル２８から水を常時噴射しておくことによって、ドラム型フィルタ２６に付着した捕集物６２の成長による目詰まりを防止できるが、スプレーノズル２８からの水噴射動作を、水位センサ５６によって検出された水位に基づきＯＮ／ＯＦＦ制御してもよい。なお、図５の如くドラム型フィルタ２６内の水位が上昇し始めると、捕集物排出管３６のホッパ３４から原水が排水されるため好ましくない。したがって、制御部６０が認識する前記規定の水位とは、捕集物排出管３６のホッパ３４に対して、若干量下方に位置する水位に設定されている。
【００５２】
また、実施の形態のフィルタ分離装置２４は、ドラム型フィルタ２６を通過した濾過水をスプレーノズル２８から噴射させる循環ポンプ（濾過水循環手段）２９を有している。すなわち、このフィルタ分離装置２４は、濾過水をスプレーノズル２８から噴射する水として使用しているので、スプレーノズル２８用の水を節水することができる。
【００５３】
更に、このフィルタ分離装置２４は、ドラム型フィルタ２６の捕集物排出管３６を凝集装置１４の前段部に接続し、ドラム型フィルタ２６によって捕集した捕集物６２を、捕集物排出管３６を介して凝集装置１４に戻すように構成されている。これにより、磁気分離装置２０で分離されずに残留した磁性粉等の捕集物６２が凝集装置１４に戻されるので、その磁性粉を凝集の核として再利用することができる。
【００５４】
更にまた、捕集物排出管３６には、捕集物６２を破砕する破砕機能を有するポンプ３０が設けられている。
【００５５】
この破砕機能付きのポンプ３０によって、ドラム型フィルタ２６への粗大固形物の再蓄積を防止することができるとともに、捕集物６２を破砕して微細化することにより、凝集装置１４において凝集の核として働き易くなる。
【図面の簡単な説明】
【００５６】
【図１】実施の形態のフィルタ分離装置を組み込んだ汚濁水浄化システムのブロック図
【図２】汚濁水浄化システムを構成する装置の概念図
【図３】フィルタ分離装置の断面図
【図４】フィルタ分離装置に配設された２本の配管構造を示した斜視図
【図５】ドラム型フィルタの断面図
【図６】ドラム型フィルタのバケットを示した拡大斜視図
【符号の説明】
【００５７】
１０…汚濁水浄化システム、１２…原水ポンプ、１４…凝集装置、１４Ａ…急速攪拌槽、１４Ｂ…緩速攪拌槽、１６…磁性粉添加装置、１８…凝集剤添加装置、１９…攪拌羽根、２０…磁気分離装置、２４…フィルタ分離装置、２５…脱水装置、２６…ドラム型フィルタ、２８…スプレーノズル、２９…循環ポンプ、３０…ポンプ、３２…原水供給管、３３…流出孔、３４…ホッパ、３６…捕集物排出管、３８…装置本体、４０…モータ、４２…水位制御部、４４…軸受、４６…軸、４８…軸受、５０…スプロケット、５２…チェーン、５４…スプロケット、５６…水位センサ、５８…電磁バルブ、６０…制御部、６２…捕集物、６４…バケット、Ｆ…磁性フロック
【図１】
2009082822.tif 000003
【図２】
2009082822.tif 000004
【図３】
2009082822.tif 000005
【図４】
2009082822.tif 000006
【図５】
2009082822.tif 000007
【図６】
2009082822.tif 000008